(57)【要約】【課題】ワイヤの巻線作業が容易であり、巻き付け精度に優れ、特性のバラツキが少ないトランスと、そのトランスに適したボビンを提供することである。【解決手段】ボビン６は、巻線用ワイヤ８の一方の第１端８ａが係止可能な第１端係止部２０と、第１用ワイヤ８の他方の第２端８ｂが係止可能な第２端係止部４０と、を有する。第１端係止部２０は、ボビン６の外周からＸ軸方向に突出する第１係止用支持部２２と、巻線用ワイヤ８をＺ軸方向から差し込み可能な第１差し込み隙間２４を形成する第１差し込み用突出部２６と、第１差し込み隙間２４を通してある巻線用ワイヤの第１端８ａのＺ軸方向の動きを規制すると共に、巻線用ワイヤ８の第１端８ａがボビン６の外周に巻き付こうとする方向の動きを規制する第１ワイヤ端移動制限部２８とを有する。【選択図】図１Ａ
2014220358.tif 000002
【特許請求の範囲】
【請求項１】
コア部と、
前記コア部を内部に収容可能なボビンと、
前記ボビンの外周に巻回される第１巻線用ワイヤと、
前記ボビンの内部に配置され、前記コア部の外周に巻回される第２巻線用ワイヤと、を有するトランスであって、
前記ボビンは、前記第１巻線用ワイヤの一方の第１端が係止可能な第１端係止部と、前記第１巻線用ワイヤの他方の第２端が係止可能な第２端係止部と、を有し、
前記第１端係止部が、
前記ボビンの外周から第１方向に突出する第１係止用支持部と、
前記第１係止用支持部から前記第１巻線用ワイヤの巻軸方向に沿って突出し、前記ボビンの外周面との間に、前記第１巻線用ワイヤを前記巻軸方向から差し込み可能な第１差し込み隙間を形成する第１差し込み用突出部と、
前記第１差し込み用突出部から前記第１方向の外側に所定距離離れて前記第１係止用支持部に形成され、前記第１差し込み隙間を通してある前記第１巻線用ワイヤの第１端の前記巻軸方向の動きを規制すると共に、前記第１巻線用ワイヤの第１端が前記ボビンの外周に巻き付こうとする方向の動きを規制する第１ワイヤ端移動制限部とを有するトランス。
【請求項２】
前記第１ワイヤ端移動制限部は、
前記第１差し込み隙間を通してある前記第１巻線用ワイヤの第１端の前記巻軸方向の動きを規制する２つの第１規制側面と、
前記第１巻線用ワイヤの第１端が前記ボビンの外周に巻き付こうとする方向の動きを規制する第１規制底面と、を有する請求項１に記載のトランス。
【請求項３】
前記第１軸をＸ軸と定義し、前記巻軸をＺ軸と定義し、前記Ｘ軸およびＺ軸が相互に垂直であり、これらのＸ軸およびＺ軸に垂直な軸をＹ軸と定義した場合に、
前記第１ワイヤ端移動制限部に保持してある前記Ｘ軸方向に延びる前記第１巻線用ワイヤの端部を、前記Ｙ軸方向に折り曲げることを案内する第１案内曲面が、前記第１規制底面に形成してある請求項２に記載のトランス。
【請求項４】
前記第１差し込み隙間が形成される前記ボビンの外周面位置で、当該外周面位置と、前記ボビンに巻回してある前記第１巻線用ワイヤとの間に、前記第２巻線用ワイヤの一方の端部が入り込み接続するための隙間が形成されるように、段差部が形成してある請求項１〜３のいずれかに記載のトランス。
【請求項５】
コア部と、
前記コア部を内部に収容可能なボビンと、
前記ボビンの外周に巻回される第１巻線用ワイヤと、
前記ボビンの内部に配置され、前記コア部の外周に巻回される第２巻線用ワイヤと、を有するトランスであって、
前記ボビンは、前記第１巻線用ワイヤの一方の第１端が係止可能な第１端係止部と、前記第１巻線用ワイヤの他方の第２端が係止可能な第２端係止部と、を有し、
前記第２端係止部が、
前記ボビンの外周から第１方向に突出する第２係止用支持部を有し、
前記第２係止用支持部には、
前記ボビンの外周に巻回してある前記第１巻線用ワイヤを前記巻軸方向から差し込み可能な第２差し込み隙間と、
前記第２差し込み隙間を通してある前記第１巻線用ワイヤの第２端の前記巻軸方向の動きを規制すると共に、前記第１巻線用ワイヤの第２端が前記ボビンの外周から巻き解される方向の動きを規制する第２ワイヤ端移動制限部とが形成してあるトランス。
【請求項６】
コア部を内部に収容可能で、第１巻線用ワイヤが巻回されるボビンであって、
前記第１巻線用ワイヤの一方の第１端が係止可能な第１端係止部と、前記第１巻線用ワイヤの他方の第２端が係止可能な第２端係止部と、を有し、
前記第１端係止部が、
前記ボビンの外周から第１方向に突出する第１係止用支持部と、
前記第１係止用支持部から前記第１巻線用ワイヤの巻軸方向に沿って突出し、前記ボビンの外周面との間に、前記第１巻線用ワイヤを前記巻軸方向から差し込み可能な第１差し込み隙間を形成する第１差し込み用突出部と、
前記第１差し込み用突出部から前記第１方向の外側に所定距離離れて前記第１係止用支持部に形成され、前記第１差し込み隙間を通してある前記第１巻線用ワイヤの第１端の前記巻軸方向の動きを規制すると共に、前記第１巻線用ワイヤの第１端が前記ボビンの外周に巻き付こうとする方向の動きを規制する第１ワイヤ端移動制限部とを有するボビン。
【請求項７】
コア部を内部に収容可能で、第１巻線用ワイヤが巻回されるボビンであって、
前記第１巻線用ワイヤの一方の第１端が係止可能な第１端係止部と、前記第１巻線用ワイヤの他方の第２端が係止可能な第２端係止部と、を有し、
前記第２端係止部が、
前記ボビンの外周から第１方向に突出する第２係止用支持部を有し、
前記第２係止用支持部には、
前記ボビンの外周に巻回してある前記第１巻線用ワイヤを前記巻軸方向から差し込み可能な第２差し込み隙間と、
前記第２差し込み隙間を通してある前記第１巻線用ワイヤの第２端の前記巻軸方向の動きを規制すると共に、前記第１巻線用ワイヤの第２端が前記ボビンの外周から巻き解される方向の動きを規制する第２ワイヤ端移動制限部とが形成してあるボビン。
【発明の詳細な説明】
【技術分野】
【０００１】
本発明は、たとえば自動車用のヘッドランプ、液晶プロジェクターあるいはオーバーヘッドプロジェクター等に用いられる放電灯の点灯のための高電圧トランスに係わり、特にボビンの外側に巻回される巻線用ワイヤの端子部の改良に関する。
【背景技術】
【０００２】
たとえば自動車用のヘッドランプ等に用いられる高電圧トランスとして、たとえば下記の特許文献１に示すトランスが知られている。このようなトランスにおいては、ボビンの外周に一次側の巻線用ワイヤが巻回される。
【０００３】
しかしながら、従来のトランス用ボビンの構造では、ボビンの外周に巻回される巻線用ワイヤの巻始め端および巻き終わり端が、ボビンの外周から外れやすく、巻線用ワイヤの巻き付け精度にバラツキが生じ易く、トランスとしての特性にバラツキが発生し易い傾向にあった。
【０００４】
ボビンの外周へのワイヤの巻線作業時に、ワイヤの端部がフリーであったり、しっかり固定されていないと組立精度や特性にバラツキが発生する。
【先行技術文献】
【特許文献】
【０００５】
【特許文献１】特開２００４−２８８７５２号公報
【発明の概要】
【発明が解決しようとする課題】
【０００６】
本発明は、このような実状に鑑みてなされ、その目的は、ワイヤの巻線作業が容易であり、巻き付け精度に優れ、特性のバラツキが少ないトランスと、そのトランスに適したボビンを提供することである。
【課題を解決するための手段】
【０００７】
上記目的を達成するために、本発明の第１の観点に係るトランスは、
コア部と、
前記コア部を内部に収容可能なボビンと、
前記ボビンの外周に巻回される第１巻線用ワイヤと、
前記ボビンの内部に配置され、前記コア部の外周に巻回される第２巻線用ワイヤと、を有するトランスであって、
前記ボビンは、前記第１巻線用ワイヤの一方の第１端が係止可能な第１端係止部と、前記第１巻線用ワイヤの他方の第２端が係止可能な第２端係止部と、を有し、
前記第１端係止部が、
前記ボビンの外周から第１方向に突出する第１係止用支持部と、
前記第１係止用支持部から前記第１巻線用ワイヤの巻軸方向に沿って突出し、前記ボビンの外周面との間に、前記第１巻線用ワイヤを前記巻軸方向から差し込み可能な第１差し込み隙間を形成する第１差し込み用突出部と、
前記第１差し込み用突出部から前記第１方向の外側に所定距離離れて前記第１係止用支持部に形成され、前記第１差し込み隙間を通してある前記第１巻線用ワイヤの第１端の前記巻軸方向の動きを規制すると共に、前記第１巻線用ワイヤの第１端が前記ボビンの外周に巻き付こうとする方向の動きを規制する第１ワイヤ端移動制限部とを有する。
【０００８】
本発明の第１の観点に係るボビンは、
コア部を内部に収容可能で、第１巻線用ワイヤが巻回されるボビンであって、
前記第１巻線用ワイヤの一方の第１端が係止可能な第１端係止部と、前記第１巻線用ワイヤの他方の第２端が係止可能な第２端係止部と、を有し、
前記第１端係止部が、
前記ボビンの外周から第１方向に突出する第１係止用支持部と、
前記第１係止用支持部から前記第１巻線用ワイヤの巻軸方向に沿って突出し、前記ボビンの外周面との間に、前記第１巻線用ワイヤを前記巻軸方向から差し込み可能な第１差し込み隙間を形成する第１差し込み用突出部と、
前記第１差し込み用突出部から前記第１方向の外側に所定距離離れて前記第１係止用支持部に形成され、前記第１差し込み隙間を通してある前記第１巻線用ワイヤの第１端の前記巻軸方向の動きを規制すると共に、前記第１巻線用ワイヤの第１端が前記ボビンの外周に巻き付こうとする方向の動きを規制する第１ワイヤ端移動制限部とを有する。
【０００９】
本発明の第１の観点に係るボビンおよびトランスでは、ボビンの外周に巻回される巻線用ワイヤの巻始め端または巻き終わり端が、ワイヤの第１端として、第１差し込み隙間を通される。第１差し込み隙間を通されたワイヤの第１端は、第１差し込み用突起部に１／８周以上（好ましくは１／６周以上）巻き付き、４５度以上（好ましくは６０度以上）の角度で、ワイヤの巻回方向と反対方向に折り曲げられて第１ワイヤ端移動制限部の方向に向かう。第１ワイヤ端移動制限部では、ワイヤの第１端は、巻軸方向の動きが規制されると共に、ボビンの外周に巻き付こうとする方向の動きが制限される。
【００１０】
そのため、ボビンの外周に巻回される巻線用ワイヤに巻軸方向の力またはワイヤの長手方向の力が作用しても、巻線用ワイヤの第１端は、第１端係止部に対して良好に固定され、巻線用ワイヤの自動巻作業が容易になる。さらに、巻線用ワイヤの巻き付け精度にバラツキが生じ難くなり、トランスとしての特性にバラツキが発生し難くなる。すなわち、本発明では、ワイヤの巻線作業が容易であり、巻き付け精度に優れ、特性のバラツキが少ないトランスを提供することができる。
【００１１】
好ましくは、前記第１ワイヤ端移動制限部は、
前記第１差し込み隙間を通してある前記第１巻線用ワイヤの第１端の前記巻軸方向の動きを規制する２つの第１規制側面と、
前記第１巻線用ワイヤの第１端が前記ボビンの外周に巻き付こうとする方向の動きを規制する第１規制底面と、を有する。
【００１２】
好ましくは、前記第１軸をＸ軸と定義し、前記巻軸をＺ軸と定義し、前記Ｘ軸およびＺ軸が相互に垂直であり、これらのＸ軸およびＺ軸に垂直な軸をＹ軸と定義した場合に、
前記第１ワイヤ端移動制限部に保持してある前記Ｘ軸方向に延びる前記第１巻線用ワイヤの端部を、前記Ｙ軸方向に折り曲げることを案内する第１案内曲面が、前記第１規制底面に形成してある。このような第１案内曲面を形成することで、第１巻線用ワイヤの端部を、第１案内曲面に沿ってＹ軸方向に折り曲げ易くなり、トランスを装置に取り付けた後の配線作業が容易になる。
【００１３】
好ましくは、前記第１差し込み隙間が形成される前記ボビンの外周面位置で、当該外周面位置と、前記ボビンに巻回してある前記第１巻線用ワイヤとの間に、前記第２巻線用ワイヤの一方の端部が入り込み接続するための隙間が形成されるように、段差部が形成してある。このような段差が形成してあることで、第２巻線用ワイヤの一方の端部を、ボビン外周と第１巻線用ワイヤとの間の隙間に差し込みやすくなり、これらの接続作業が容易になる。
【００１４】
上記目的を達成するために、本発明の第２の観点に係るトランスは、
コア部と、
前記コア部を内部に収容可能なボビンと、
前記ボビンの外周に巻回される第１巻線用ワイヤと、
前記ボビンの内部に配置され、前記コア部の外周に巻回される第２巻線用ワイヤと、を有するトランスであって、
前記ボビンは、前記第１巻線用ワイヤの一方の第１端が係止可能な第１端係止部と、前記第１巻線用ワイヤの他方の第２端が係止可能な第２端係止部と、を有し、
前記第２端係止部が、
前記ボビンの外周から第１方向に突出する第２係止用支持部を有し、
前記第２係止用支持部には、
前記ボビンの外周に巻回してある前記第１巻線用ワイヤを前記巻軸方向から差し込み可能な第２差し込み隙間と、
前記第２差し込み隙間を通してある前記第１巻線用ワイヤの第２端の前記巻軸方向の動きを規制すると共に、前記第１巻線用ワイヤの第２端が前記ボビンの外周から巻き解される方向の動きを規制する第２ワイヤ端移動制限部とが形成してある。
【００１５】
本発明の第２の観点に係るボビンは、
コア部を内部に収容可能で、第１巻線用ワイヤが巻回されるボビンであって、
前記第１巻線用ワイヤの一方の第１端が係止可能な第１端係止部と、前記第１巻線用ワイヤの他方の第２端が係止可能な第２端係止部と、を有し、
前記第２端係止部が、
前記ボビンの外周から第１方向に突出する第２係止用支持部を有し、
前記第２係止用支持部には、
前記ボビンの外周に巻回してある前記第１巻線用ワイヤを前記巻軸方向から差し込み可能な第２差し込み隙間と、
前記第２差し込み隙間を通してある前記第１巻線用ワイヤの第２端の前記巻軸方向の動きを規制すると共に、前記第１巻線用ワイヤの第２端が前記ボビンの外周から巻き解される方向の動きを規制する第２ワイヤ端移動制限部とが形成してある。
【００１６】
本発明の第２の観点に係るボビンおよびトランスでは、ボビンの外周に巻回される巻線用ワイヤの巻始め端または巻き終わり端を、ワイヤの第２端として、第２差し込み隙間に通される。第２差し込み隙間を通されたワイヤの第２端は、４５度以上（好ましくは６０度以上）の角度で、ワイヤの巻回方向と反対方向に折り曲げられて第２ワイヤ端移動制限部に向かう。第２ワイヤ端移動制限部では、ワイヤの第２端は、巻軸方向の動きが規制されると共に、ボビンの外周から巻き解される方向の動きが制限される。
【００１７】
そのため、ボビンの外周に巻回される巻線用ワイヤに巻軸方向の力またはワイヤの長手方向の力が作用しても、巻線用ワイヤの第２端は、第２端係止部に対して良好に固定され、巻線用ワイヤの自動巻作業が容易になる。さらに、巻線用ワイヤの巻き付け精度にバラツキが生じ難くなり、トランスとしての特性にバラツキが発生し難くなる。すなわち、本発明では、ワイヤの巻線作業が容易であり、巻き付け精度に優れ、特性のバラツキが少ないトランスを提供することができる。
【図面の簡単な説明】
【００１８】
【図１Ａ】図１Ａは本発明の一実施形態に係る高圧トランスの斜視図である。
【図１Ｂ】図１Ｂは図１Ａに示す高圧トランスを他の角度から見た斜視図である。
【図２】図２は図１Ａに示す高圧トランスの平面図である。
【図３】図３は図１Ａに示す高圧トランスの底面平面図である。
【図４】図４は図１Ａに示す高圧トランスの左側面図である。
【図５Ａ】図５Ａは図１Ａに示す高圧トランスのボビンにワイヤを巻回する工程を示す斜視図である。
【図５Ｂ】図５Ｂは図５Ａの続きの工程を示す斜視図である。
【図５Ｃ】図５Ｃは図５Ｂの続きの工程を示す斜視図である。
【発明を実施するための形態】
【００１９】
以下、本発明を、図面に示す実施形態に基づき説明する。
図１Ａおよび図１Ｂに示すように、本発明の一実施形態に係る高電圧トランス２は、コア部４と、コア部４を内部に収容可能なボビン６と、を有する。
【００２０】
コア部４としては、たとえばフェライト材、パーマロイなどの軟磁性材、金属圧粉成形の磁性材などで構成される。トランス２が、たとえば主として車載用を目的とした高圧トランスとして使用する場合には、使用環境が−４０〜＋１３０℃（保存温度が−４０〜＋１５０℃）が要求され、電気的特性の維持により、キューリー温度が２００℃以上の磁性体が好ましい。
【００２１】
ボビン６は、絶縁性に優れた材料により構成してあり、たとえばＰＢＴ、ＰＥＴ、ＬＣＰ、ＰＰＳなどの合成樹脂などの合成樹脂で構成してあるが、耐加水分解性の樹脂が求められることも多い。あるいはセラミックなどでボビン６を構成してもよい。後述する第１端係止部２０および第２端係止部を、射出成形などでボビンと共に一体成形する観点からは、成形の容易性から合成樹脂でボビンを成形することが好ましい。
【００２２】
ボビン６の外周には、一次巻線用ワイヤ（第１巻線用ワイヤ）８が巻回してあり、ボビン６の内部に収容してあるコア部４の外周には、二次巻線用ワイヤ（第２巻線用ワイヤ）１０が巻回してある。一次巻線用ワイヤ８は、図示するＺ軸方向（ボビンの長手方向に一致）を巻回軸として、ボビン６の外周に対して３周の巻回数で巻回してあるが、一次巻線用ワイヤ８の巻回数Ｎ１は、３周には限定されず、たとえば２〜５周でも良い。
【００２３】
二次巻線用ワイヤ１０は、図示するＺ軸方向を巻回軸として、ボビン６の内部において、コア部４の外周に対して、巻回数Ｎ１の３０〜８０倍の巻回数Ｎ２で巻回してある。二次巻線用ワイヤ１０は、一次巻線用ワイヤ８よりも小さい横断面積を有する平角導線で構成してあり、絶縁被覆されていなくても良いが、絶縁被覆してあることが好ましい。一次巻線用ワイヤ１０は、二次巻線用ワイヤ１０よりも横幅が広い平角導線で構成してあり、絶縁被覆されていなくとも良いが、絶縁被覆されていても良い。
【００２４】
図１Ａに示すように、ボビン６は、長手方向（Ｚ軸方向）に沿ってコア部４を収容するための筒状中空部を有し、ボビン６のＺ軸方向の第１端には、コア部４を収容するための開口部６ａが形成してある。開口部６ａには、コア部４の一方の第１端が露出しているが、この開口部６ａに蓋を取り付けることで、ボビンの外部からはコア部４が見えなくなる。開口部６ａからは、二次巻線用ワイヤ１０の第１リード端１０ａが引き出され、後述する接続用隙間６０に差し込まれ、そこで一次巻線用ワイヤ８にハンダ付けなどで接続される。
【００２５】
ボビン６のＺ軸方向の第２端６ｂ（第１端６ａと反対側）には、図１Ｂに示すように、端壁がボビン６と一体成形してあり、端壁６ｂには、約１／４周の扇形状の切り欠き６ｃが形成してある。切り欠き６ｃには、コア部４の他方の第２端が露出している。端壁６ｂには、端子片１８が取り付けてあり、端子片１８には、切り欠き６ｃを通して導出される二次巻線用ワイヤ１０の第２リード端１０ｂがハンダ付けなどの手段で接続してある。
【００２６】
ボビン６の外周には、リブ１４および１６などがボビンと一体に成形してある。リブ１４および１６は、ボビン６の強度を高めていると共に、一部のリブ１４および１６は、ボビン６の外周において、一次巻線用ワイヤ８の巻回方向を案内する仕切り壁としての機能も有する。
【００２７】
本実施形態では、ボビン６の筒状の中空部は、その横断面が、コア体４の横断面に合わせて、楕円形状あるいは長円形状に形成してあり、ボビン６の長手方向は、ワイヤ８および１０の巻回軸と一致し、しかもコア部４のボビン６への挿入方向とも一致する。また本実施形態では、コア体４の楕円状横断面の長軸方向をＸ軸とし、短軸方向をＹ軸とした場合に、Ｘ軸、Ｙ軸およびＺ軸は相互に垂直である。
【００２８】
本実施形態では、ボビン６の外周において、開口部６ａの近くで、Ｘ軸方向の片側に、第１端係止部２０がボビンの外周面に一体に成形してある。また、この第１端係止部２０からＺ軸方向に所定距離離れて、端壁６ｂの近くに、第２端係止部４０がボビンの外周面に一体に成形してある。
【００２９】
第１端係止部２０は、ボビン６の外周に巻回される一次巻線用ワイヤ８の第１リード端８ａを係止して固定する部分であり、第２端係止部４０は、ボビン６の外周に巻回される一次巻線用ワイヤ８の第２リード端８ｂを係止して固定する部分である。第１端係止部２０と第２端係止部４０との間に位置するボビン６の外周には、ワイヤ８の巻回を案内するリブ１４および１６が形成してある。
【００３０】
第１端係止部２０および第２端係止部４０は、本実施形態では、ボビン６の外周において、Ｚ軸方向に離れて形成されるが、ボビン６の周方向には略同じ位置に形成され、Ｘ軸方向の同じ側でボビン６の外周からＸ軸方向に突出する。
【００３１】
第１端係止部２０は、ボビン６の外周からＸ軸方向に突出する第１係止用支持部２２を有する。第１係止用支持部２２には、Ｚ軸方向に沿ってボビン６の第１端（開口部６ａ）方向に向けて突出する第１差し込み用突出部２６が一体に成形してある。第１差し込み用突出部２６は、ボビン６の外周面との間で、一次巻線用ワイヤ８をＺ軸方向から差し込み可能な第１差し込み隙間２４を形成するようになっている（図２および図５Ａ参照）。
【００３２】
第１差し込み隙間２４が形成されるボビン６の外周面位置で、段差部１２が形成してある。段差部１２が形成してあることで、ボビンの外周面位置と、ボビン６に巻回してある一次巻線用ワイヤ８との間に、第２巻線用ワイヤ１０の一方の第１リード端１０ａが入り込み接続するための接続用隙間６０が形成される。このような接続用隙間６０が形成されることで、第２巻線用ワイヤの一方の端部を、ボビン外周と第１巻線用ワイヤとの間の隙間に差し込みやすくなり、これらの接続作業が容易になる。
【００３３】
図１Ａに示すように、段差部１２のＹ軸方向の縁部には、案内用テーパ部１２ａが形成してあると共に、段差部１２のＺ軸方向の縁部には、案内用テーパ部１２ｂが形成してある。これらのテーパ部１２ａ，１２ｂが形成してあることで、段差部１２の頂面と第１差し込み用突出部２６との間の隙間２４がワイヤ８の厚みと同程度、あるいはそれよりも少し広い程度の狭い隙間であっても、ワイヤ８を隙間２４に差し込みやすい。
【００３４】
第１係止用支持部２２からの第１差し込み用突出部２６のＺ軸方向の突出長さ、すなわち差し込み隙間２４のＺ軸方向の幅は、ワイヤ８の横幅よりも広いことが好ましく、さらに好ましくは２倍〜３倍程度である。
【００３５】
図１Ｂ、図２および図３に示すように、第１差し込み用突出部２６からＸ軸方向の外側には、第１ワイヤ端通過隙間３８のＸ軸方向幅の所定距離で離れて、第１ワイヤ端移動制限部２８が第１係止用支持部２２に一体に成形してある。第１ワイヤ端移動制限部２８は、第１係止用支持部２２のＸ軸方向の先端部からＺ軸方向に、第１差し込み用突出部２６と同じ方向に突出している。
【００３６】
第１ワイヤ端移動制限部２８には、移動制限用溝３０が形成してある。移動制限用溝３０は、Ｙ軸方向の上部と、Ｘ軸方向の両側で開口してあり、２つの第１規制側面３２および３４と１つの第１規制底面３６とで、第１差し込み隙間２４を通してある一次巻線用ワイヤ８の第１リード端の動きを規制する。第１規制側面３２および３４では、第１差し込み隙間２４を通してある一次巻線用ワイヤ８の第１リード端のＺ軸方向の動きを規制し、第１規制底面３６では、一次巻線用ワイヤ８の第１リード端がボビン６の外周に巻き付こうとする方向の動きを規制するようになっている。
【００３７】
図４に示すように、第１規制底面３６は、突起部２６のＹ軸方向下面に対して位置合わせされて形成され、第１差し込み隙間２４を通されたワイヤ８の第１リード端８ａは、第１差し込み用突起部２６に１／８周以上巻き付いてから第１規制底面３６に向かうように構成してある。なお、図４に示す例では、第１差し込み隙間２４を通されたワイヤ８の第１リード端８ａは、第１差し込み用突起部２６に約１／２周近く巻き付いてから第１規制底面３６に向かうように、約９０度（４５度以上の角度）で、ワイヤ８の巻回方向と反対方向に折り曲げられて第１規制底面３６に向かうように構成してある。
【００３８】
第１規制底面３６には、第１ワイヤ端移動制限部２８の移動制限用溝３０に保持してあるＸ軸方向に延びる第１巻線用ワイヤ８の第１リード端８ａを、Ｙ軸方向の下方に折り曲げることを案内する第１案内曲面３６ａが形成してある。このような第１案内曲面３６ａを形成することで、第１巻線用ワイヤ８の第１リード端８ａを、第１案内曲面３６ａに沿ってＹ軸の下方に折り曲げ易くなり、トランス２を装置に取り付けた後の配線作業が容易になる。
【００３９】
なお、図５Ａに示すように、ワイヤ８をボビン６に巻き付ける際に、Ｕ字形状に折り曲げられた一次巻線用ワイヤ８の第１リード端を、第１ワイヤ端通過隙間３８に差し込みやすくするために、ワイヤ移動制限部２８の一部を構成するストッパ用側壁２８ａには、案内用テーパ部２８ｂが形成してある。
【００４０】
次に、第２端係止部４０について説明する。第２端係止部４０は、図１Ｂに示すように、ボビン６の外周からＸ軸方向に突出する第２係止用支持部４２を有する。第２係止用支持部４２には、Ｚ軸方向に沿って第１端係止部２０の方向に向けて突出するスペーサ用突出部４６が一体に成形してある。スペーサ用突出部４６は、ボビン６の外周面との間で、隙間を形成することなく一体化して形成してある。
【００４１】
第２係止用支持部４２からのスペーサ用突出部４６のＺ軸方向の突出長さは、第１差し込み用突出部２６の突出長さと同程度である。図１Ｂ、図２および図３に示すように、スペーサ用突出部４６からＸ軸方向の外側には、第２差し込み隙間４４のＸ軸方向幅の所定距離で離れて、第２ワイヤ端移動制限部４８が第２係止用支持部４２に一体に成形してある。第２ワイヤ端移動制限部４８は、第２係止用支持部４２のＸ軸方向の先端部からＺ軸方向に、第２差し込み用突出部４６と同じ方向に突出している。
【００４２】
この第２ワイヤ端移動制限部４８には、移動制限用溝５０が形成してある。移動制限用溝５０は、Ｙ軸方向の上部と、Ｘ軸方向の両側で開口してあり、２つの第２規制側面５２および５４と１つの第２規制底面５６とで、第２差し込み隙間４４を通してある一次巻線用ワイヤ８の第２リード端８ｂの動きを規制する。第２規制側面５２および５４では、第２差し込み隙間４４を通してある一次巻線用ワイヤ８の第２リード端８ｂのＺ軸方向の動きを規制し、第２規制底面５６では、一次巻線用ワイヤ８の第２リード端８ｂがボビン６の外周から巻き解される方向の動きを規制するようになっている。
【００４３】
図１Ｂに示すように、第２規制底面５６は、突起部４６のＹ軸方向下面に対して位置合わせされて形成され、第２差し込み隙間４４を通されたワイヤ８の第２リード端８ｂは、スペーサ用突起部４６に１／８周以上巻き付いてから第２規制底面５６に向かうように構成してある。なお、図示する例では、ワイヤ８の第２リード端８ｂは、第２差し込み隙間４４に入る際に、４５度以上の角度で曲げられ、第２差し込み隙間４４から出る際に、逆方向に４５度以上の角度で曲げられて、第２規制底面５６に向かうことになる。
【００４４】
第２規制底面５６には、第２ワイヤ端移動制限部４８の移動制限用溝３０に保持してあるＸ軸方向に延びる第１巻線用ワイヤ８の第２リード端８ｂを、Ｙ軸方向の下方に折り曲げることを案内する第２案内曲面５６ａが形成してある。このような第２案内曲面５６ａを形成することで、第２巻線用ワイヤ８の第２リード端８ｂを、第２案内曲面５６ａに沿ってＹ軸の下方に折り曲げ易くなり、トランス２を装置に取り付けた後の配線作業が容易になる。
【００４５】
なお、図５Ｃに示すように、ワイヤ８をボビン６に巻き付ける際に、一次巻線用ワイヤ８の第２リード端８ｂを、第２差し込み隙間４４に差し込みやすくするために、ワイヤ移動制限部４８の一部を構成するストッパ用側壁４８ａには、案内用テーパ部４８ｂが形成してある。
【００４６】
本実施形態に係るトランス２を製造するには、コア部４の周囲に二次巻線用ワイヤ１０を巻回する工程と、ボビン６の外周に一次巻線用ワイヤを巻回する工程と、ワイヤ１０が巻回してあるコア部４をボビン６の内部に装着する工程と、ワイヤ１０の第１リード端１０ａを接続用隙間６０に差し込み、その位置で、ワイヤ８と接続する工程と、ワイヤ１０の第２リード端１０ｂを端子片１８に接続する工程とを少なくとも有する。
【００４７】
本実施形態では、ボビン６の外周に一次巻線用ワイヤを巻回する構造と工程に最大の特徴を有する。
【００４８】
図５Ａに示すように、ボビン６の内部にコア部を収容する前に、ボビン６を図示省略してある回転チャック装置により保持する。その状態で、図示省略してあるワイヤ送り出し装置から送り出されるワイヤ８の先端をＵ字状に曲げ、第１リード端８ａとして、Ｚ軸方向から突起部２６の下半分に巻き付くように、ワイヤ８の第１リード端８ａを、隙間２４および３８に差し込む。
【００４９】
その後に、第１リード端８ａを移動制限用溝３０に入り込むように曲げる。その結果、図５Ｂに示すように、ボビン６の外周に巻回される巻線用ワイヤ８の巻始め端である第１リード端８ａは、第１差し込み隙間２４を通され、第１差し込み用突起部２６に１／８周以上巻き付き、４５度以上の角度で、ワイヤ８の巻回方向と反対方向に折り曲げられて第１ワイヤ端移動制限部２８の方向に向かう。第１ワイヤ端移動制限部２８では、ワイヤ８の第１リード端８ａは、巻軸（Ｚ軸）方向の動きが規制されると共に、ボビン６の外周に巻き付こうとする方向の動きが制限される。
【００５０】
そのため、回転チャック装置によりボビン６が矢印Ｒの方向に回転すると共に、Ｚ軸方向に移動し、ボビン６の外周に巻回される巻線用ワイヤ８に巻軸方向の力またはワイヤ８の長手方向の力が作用しても、巻線用ワイヤ８の第１リード端８ａは、第１端係止部２０に対して良好に固定され、巻線用ワイヤ８の自動巻作業が容易になる。
【００５１】
なお、図５Ｃに示すように、ボビン６の外周に巻回される巻線用ワイヤ８の巻き終わり端である第２リード端８ｂとなる位置のワイヤ８は、第２差し込み隙間４４に通される。第２差し込み隙間４４を通されたワイヤ８の第２リード端８ｂは、４５度以上の角度で、ワイヤ８の巻回方向と反対方向に折り曲げられて第２ワイヤ端移動制限部４８に向かう。第２ワイヤ端移動制限部４８では、ワイヤ８の第２リード端８ｂは、巻軸（Ｚ軸）方向の動きが規制されると共に、ボビン６の外周から巻き解される方向の動きが制限される。
【００５２】
そのため、ボビン６の外周に巻回された巻線用ワイヤ８に巻軸方向の力またはワイヤ８の長手方向の力が作用しても、巻線用ワイヤ８の第２リード端８ｂは、第２端係止部４０に対して良好に固定され、巻線用ワイヤ８の自動巻作業が容易になる。なお、巻線作業が終了して溝５０に通されたワイヤ８は切断されて第２リード端８ｂとなる。
【００５３】
本実施形態では、巻線用ワイヤ８の巻き付け精度にバラツキが生じ難くなり、トランス２としての特性にバラツキが発生し難くなる。すなわち、本実施形態では、ワイヤ８の巻線作業が容易であり、巻き付け精度に優れ、特性のバラツキが少ないトランス２を提供することができる。
【００５４】
なお、本発明は、上述した実施形態に限定されるものではなく、本発明の範囲内で種々に改変することができる。
【００５５】
たとえば、上述した実施形態では、第１端係止部２０から巻線用ワイヤ８を巻き付けたが、本発明では、第２端係止部４０から巻線用ワイヤ８を巻始めて、第１端係止部２０で巻き終わりとしても良い。その場合には、第１リード端８ａが巻き終わり端となり、第２リード端８ｂが巻始め端となる。
【００５６】
また、前述した実施形態では、ボビン６の外周には、第１端係止部２０と第２端係止部４０とが巻軸方向に離れて形成してあるが、一対の第１端係止部２０をボビンの外周に巻軸方向に離れて形成し、巻線用ワイヤ８の第１リード端８ａおよび第２リード端８ｂの双方共に、第１端係止部２０により係止されていても良い。あるいは、一対の第２端係止部４０をボビンの外周に巻軸方向に離れて形成し、巻線用ワイヤ８の第１リード端８ａおよび第２リード端８ｂの双方共に、第２端係止部４０により係止されていても良い。
【００５７】
ただし、これらの実施形態では、ボビン６に対するワイヤの巻回数が、３回転半などのようになる可能性があり、巻線用ワイヤ８の第１リード端８ａおよび第２リード端８ｂを、Ｘ軸方向の相互に反対側に引き出すことになる可能性がある。巻線用ワイヤ８の第１リード端８ａおよび第２リード端８ｂを、Ｘ軸方向の同じ側に出したい場合などには、図示する実施形態が好ましい。
【符号の説明】
【００５８】
２…  高電圧トランス
４…  コア部
６…  ボビン
６ａ…  開口部
６ｂ…  端壁
６ｃ…  切り欠き
８…  一次巻線用ワイヤ（第１巻線用ワイヤ）
８ａ…  第１リード端
８ｂ…  第２リード端
１０…  二次巻線用ワイヤ（第２巻線用ワイヤ）
１０ａ…  第１リード端
１０ｂ…  第２リード端
１２…  段差部
１２ａ，１２ｂ…  案内用テーパ部
１４，１６…  リブ
１８…  端子片
２０…  第１端係止部
２２…  第１係止用支持部
２４…  第１差し込み隙間
２６…  第１差し込み用突出部
２８…  第１ワイヤ端移動制限部
２８ａ…  ストッパ用側壁
２８ｂ…  案内用テーパ部
３０…  移動制限用溝
３２，３４…  第１規制側面
３６…  第１規制底面
３８…  第１ワイヤ端通過隙間
４０…  第２端係止部
４２…  第２係止用支持部
４４…  第２差し込み隙間
４６…  スペーサ用突出部
４８…  第２ワイヤ端移動制限部
４８ａ…  ストッパ用側壁
４８ｂ…  案内用テーパ部
５０…  移動制限用溝
５２，５４…  第２規制側面
５６…  第２規制底面
６０…  接続用隙間
【図１Ａ】
2014220358.tif 000003
【図１Ｂ】
2014220358.tif 000004
【図２】
2014220358.tif 000005
【図３】
2014220358.tif 000006
【図４】
2014220358.tif 000007
【図５Ａ】
2014220358.tif 000008
【図５Ｂ】
2014220358.tif 000009
【図５Ｃ】
2014220358.tif 000010